(57)【特許請求の範囲】
【請求項１】
第１の筐体と、
前記第１の筐体とヒンジ部を介してヒンジ結合される第２の筐体と、
前記第２の筐体に設けられ、前記第１の筐体と前記第２の筐体とが閉じた状態で外部に露出するとともに、前記第１の筐体と前記第２の筐体とが閉じた状態で複数の入力数字キーを第１の表示領域に表示する表示手段と、
前記表示手段により前記第１の表示領域に表示された複数の入力数字キーの中から、いずれかの入力数字キーの入力を受け付け、受け付けられた入力数字キーの入力を決定する決定手段と、
前記第２の筐体に設けられた発呼キーの押下に従い、前記決定手段により入力が決定された入力数字キーに基づく決定数字の組み合わせにより識別される他の情報処理装置にネットワークを介して発呼する発呼手段とを備えることを特徴とする情報処理装置。
【請求項２】
前記表示手段は、前記決定手段により入力が決定された前記入力数字キーに基づく決定数字の組み合わせを、第２の表示領域に表示することを特徴とする請求項１に記載の情報処理装置。
【請求項３】
前記表示手段は、前記第１の筐体と前記第２の筐体とが開いた状態で前記第１の筐体に設けられた表示画面上にて入力が受け付けられた入力数字キーに基づく決定数字の組み合わせを、前記第１の筐体と前記第２の筐体とが閉じた状態になったとき、前記決定手段により入力が決定された前記入力数字キーに基づく決定数字の組み合わせとして、前記第２の表示領域に表示することを特徴とする請求項２に記載の情報処理装置。
【請求項４】
前記発呼手段は、前記第１の筐体と前記第２の筐体とが開いた状態から閉じた状態になったとき、前記第１の筐体と前記第２の筐体とが開いた状態で入力が受け付けられた入力数字キーに基づく決定数字の組み合わせにより識別される前記他の情報処理装置に発呼することを特徴とする請求項１及至請求項３のいずれかに記載の情報処理装置。
【請求項５】
前記決定手段は、前記第１の表示領域に表示された複数の入力数字キーの中から、前記第２の筐体に設けられた上下左右キーの押下に従って移動されるカーソルにより選択された入力数字キーの入力を受け付け、入力数字キーの入力を決定することを特徴とする請求項１に記載の情報処理装置。
【請求項６】
前記決定手段は、前記第１の表示領域に表示された複数の入力数字キーの中から、前記第１の筐体または第２の筐体に設けられた指紋センサを用いて移動されるカーソルにより選択された入力数字キーの入力を受け付けることを特徴とする請求項１に記載の情報処理装置。
【請求項７】
前記決定手段は、前記第１の表示領域に表示された複数の入力数字キーの中から、前記第２の筐体に設けられた決定キーの押下に従い、カーソルにより選択された入力数字キーの入力を受け付け、入力数字キーの入力を決定することを特徴とする請求項５または６に記載の情報処理装置。
【請求項８】
前記表示手段により前記第１の表示領域に複数の入力数字キーが表示される場合、所定の表示形式にて入力数字キーが配列された上で表示されることを特徴とする請求項１に記載の情報処理装置。
【請求項９】
前記他の情報処理装置からの着呼に対する着呼応答動作があった場合に、前記第１の筐体と前記第２の筐体とが開いた状態のとき、ハンズフリーによる通話処理を行う通話手段をさらに備えることを特徴とする請求項１に記載の情報処理装置。
【発明の詳細な説明】
【技術分野】
【０００１】
本発明は情報処理装置に係り、特に、電話番号を入力することで発呼処理を実行することができるようにした情報処理装置に関する。
【背景技術】
【０００２】
近年、様々な形態を有する携帯電話機が提案されている。例えばストレート式の携帯電話機、ストレートスタイルのキーパッド部分を回動可能な蓋により覆うようにしたフリップ式のものや、折り畳み式の携帯電話機、スライド式の携帯電話機などが提案されている。
【０００３】
従来の折り畳み式の携帯電話機では、一般に、その形状はコンパクトに設計されており、ユーザがその携帯電話機を用いて通話を行う際には、折り畳み式の携帯電話機を開いた状態にして通話を行っていた。なお、従来の折り畳み式の携帯電話機では、一般に、本体側の筐体である第１の筐体と、メインディスプレイが搭載される第２の筐体がヒンジ部を介してヒンジ結合されており、第２の筐体にはメインディスプレイの背面側には、サブディスプレイが設けられている。この折り畳み式の携帯電話機に関連する技術として、例えば特開２００４−８８５１２号公報に記載された技術が知られている。
【特許文献１】特開２００４−８８５１２号公報
【発明の開示】
【発明が解決しようとする課題】
【０００４】
ところが、最近、折り畳み式の携帯電話機の中には、大きな表示画面とキーボードが搭載され、より多くの機能が搭載されたデータ端末としての携帯電話機が登場するようになってきている。このデータ端末としての折り畳み式の携帯電話機は、従来の携帯電話機に比べて機能性に優れている反面、どうしてもその形状が縦横に大きくなってしまう。そのため、従来の折り畳み式の携帯電話機と同様にして折り畳み式の携帯電話機を開いた状態にして通話を行うようにすると、使い勝手が悪くなってしまう。
【０００５】
そこで、折り畳み式の携帯電話機を閉じた状態のままで発呼や通話を行うようにする方法が考えられる。しかしながら、データ端末としての折り畳み式の携帯電話機の場合、閉じた状態のままで通話可能にできたとしても、携帯電話機を閉じた状態にすると、本体側の第１の筐体に設けられたキーボードなど操作キーが隠れてしまい、ユーザはそのキーボードを用いて相手先の電話番号などを入力して発呼を開始させることはできない。勿論、発呼・通話時に、一旦携帯電話機を開いた状態にし、キーボードを用いて相手先の電話番号を入力したり、あるいは、着信・発呼履歴を用いて相手先の電話番号を選択したりすることで、ユーザは携帯電話機を用いた発呼を開始させることを可能ではあるが、発呼・通話時に少なくとも一度携帯電話機の開閉を行わなければならない。
【０００６】
このように、データ端末としての折り畳み式の携帯電話機を用いて発呼・通話を行う際、ユーザにとって使い勝手が悪いという課題があった。
【０００７】
本発明は、このような状況に鑑みてなされたものであり、折り畳み式の携帯電話機を閉じた状態にした場合であっても、操作キーを用いて発呼・着呼処理を簡便に行うことができる情報処理装置を提供することを目的とする。
【課題を解決するための手段】
【０００８】
本発明の情報処理装置は、上述した課題を解決するために、第１の筐体と、第１の筐体とヒンジ部を介してヒンジ結合される第２の筐体と、第２の筐体に設けられ、第１の筐体と第２の筐体とが閉じた状態で外部に露出するとともに、第１の筐体と第２の筐体とが閉じた状態で複数の入力数字キーを第１の表示領域に表示する表示手段と、表示手段により第１の表示領域に表示された複数の入力数字キーの中から、いずれかの入力数字キーの入力を受け付け、受け付けられた入力数字キーの入力を決定する決定手段と、第２の筐体に設けられた発呼キーの押下に従い、決定手段により入力が決定された入力数字キーに基づく決定数字の組み合わせにより識別される他の情報処理装置にネットワークを介して発呼する発呼手段とを備えることを特徴とする。
【発明の効果】
【０００９】
本発明によれば、折り畳み式の携帯電話機を閉じた状態にした場合であっても、操作キーを用いて発呼・着呼処理を簡便に行うことができる。
【発明を実施するための最良の形態】
【００１０】
以下、本発明の実施の形態について、図面を参照しながら説明する。
【００１１】
図１は、本発明に係る情報処理情報処理装置として適用可能な携帯電話機１の外観の構成を表している。なお、図１は、携帯電話機１を約１８０度に見開いたとき（開いた状態）の正面から見た外観の構成を表している。
【００１２】
図１に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１３】
第１の筐体１２には、その表面に「０」乃至「９」の数字キー、クリアキー、電源キー、および電子メールキーなどの種々の第１の操作キー１４がキーボードとして設けられており、第１の操作キー１４を用いて各種指示を入力することができる。第１の筐体１２には、第１の操作キー１４として十字キーと決定キーなどが設けられており、ユーザが十字キーを上下左右方向に操作することにより当てられたカーソルを上下左右方向に移動させることができる。具体的には、第２の筐体１３に設けられたメインディスプレイ１５に表示されている電話帳リストや電子メールのスクロール動作、簡易ホームページのページ捲り動作および画像の送り動作などの種々の動作を実行する。
【００１４】
また、第１の筐体１２には、メインディスプレイ１５を正面に見て第１の操作キー１４の左側にマイクロフォン１６が設けられており、マイクロフォン１６によって通話時のユーザの音声を集音する。
【００１５】
一方、第２の筐体１３には、その正面にメインディスプレイ１５が設けられており、電波の受信状態、電池残量、電話帳として登録されている相手先名や電話番号及び送信履歴等の他、電子メールの内容、簡易ホームページ、ＣＣＤ（Charge Coupled Device）カメラ（図３のＣＣＤカメラ４８）で撮像した画像、外部のコンテンツサーバ（図示せず）より受信したコンテンツ、メモリカード（後述する図３のメモリカード４６）に記憶されているコンテンツを表示することができる。また、第１の筐体１２と第２の筐体１３の内部の所定の位置には、携帯電話機１の状態（閉じた状態と開いた状態）を検知するための磁気センサ１７aおよび１７bが設けられる。
【００１６】
図２は、本発明に係る情報処理情報処理装置として適用可能な携帯電話機１の他の外観の構成を表している。図２の携帯電話機１の状態は、図１の携帯電話機１の状態から矢印Ｘ方向に回動させた状態（閉じた状態）である。なお、図２は、携帯電話機１を閉じたときの正面から見た外観の構成を表している。
【００１７】
第２の筐体１３の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図示せず）も設けられている。
【００１８】
レシーバ１８の下部には、サブディスプレイ１９が設けられており、現在のアンテナの感度のレベルを示すアンテナピクト、携帯電話機１の現在の電池残量を示す電池ピクト、現在の時刻などが表示されるとともに、ユーザによる操作に伴って入力された数字などが表示される。また、第２の筐体１３の所定の位置には、十字キーと決定キーなどからなる第２の操作キー２０が設けられており、ユーザが十字キーを上下左右方向に操作することにより当てられたカーソルを上下左右方向に移動させることができる。
【００１９】
さらに、十字キーおよび決定キーの左側には発呼キーが第２の操作キーとして設けられるとともに、十字キーおよび決定キーの右側には終話キーが第２の操作キーとして設けられている。そして、ユーザによる十字キーおよび決定キーの操作により電話番号が確定された後に発呼キーが押下されると、確定された電話番号に対して発呼処理が行われる。
【００２０】
図３は、本発明に係る情報処理情報処理装置に適用可能な携帯電話機１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２１】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２２】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２３】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００２４】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１５に表示させる。なお、制御部４１は、受信された動画像データだけでなく、ＣＣＤカメラ４８により撮像された動画像データに関しても、図示せぬビデオＲＡＭを介してメインディスプレイ１５に表示させることも可能である。
【００２５】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての第１の操作キー１４の操作に応じて、記憶部４２に記憶されているこの電子メールを読み出し、読み出された電子メールをメインディスプレイ１５に表示させる。
【００２６】
一方、通話モードにおいて、マイクロフォン１６に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ４８から出力される動画像信号は、制御部４１によりディジタル化されて圧縮伸張処理部３７に入力される。さらに、制御部４１にて作成されたテキストデータである電子メールも、圧縮伸張処理部３７に入力される。
【００２７】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００２８】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００２９】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４７が設けられている。
【００３０】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。
【００３１】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。電源回路４４は、バッテリ４３の出力を基に所定の動作電源電圧Ｖｃｃを生成して各回路部に供給する。
【００３２】
次に、図４のフローチャートを参照して、図３の携帯電話機１における発呼処理について説明する。なお、この発呼処理は、携帯電話機１の状態が閉じた状態で、ユーザにより第２の筐体１３の所定の位置に設けられた第２の操作キー２０のうちの発呼キーが押下されたとき、開始される。
【００３３】
ステップＳ１において、制御部４１は、第２の操作キー２０の操作を監視することで、携帯電話機１の状態が閉じた状態で、ユーザにより第２の筐体１３の所定の位置に設けられた第２の操作キー２０としての発呼キーが押下されたか否かを判定し、携帯電話機１の状態が閉じた状態で、ユーザにより第２の筐体１３の所定の位置に設けられた第２の操作キー２０としての発呼キーが押下されたと判定するまで待機する。
【００３４】
ステップＳ１において携帯電話機１の状態が閉じた状態で、ユーザにより第２の筐体１３の所定の位置に設けられた第２の操作キー２０としての発呼キーが押下されたと判定された場合、制御部４１はステップＳ２で、サブディスプレイ１９を制御し、サブディスプレイ１９の入力数字キー表示領域に、複数の入力数字キーを表示させる。サブディスプレイ１９は、制御部４１の制御に従い、サブディスプレイ１９の入力数字キー表示領域に複数の入力数字キーを表示する。
【００３５】
例えば図５（Ａ）に示されるように、サブディスプレイ１９の下部の表示領域には、発呼処理にて入力する入力数字キーを表示するための入力数字キー表示領域が設けられている。図５（Ａ）の例の場合、「１」、「２」、「３」、…、「＊」、「＃」、「←Clear」が入力数字キー表示領域に表示されている。これらの入力数字キーのうちの「１」にカーソルが現在位置しており、「１」が中抜きされて反転表示されている。これは入力数字キー「１」が現在決定操作によって選択される対象となっていることを示している。
【００３６】
ステップＳ３において、制御部４１は、ユーザにより第２の操作キー２０のうちの十字キーが操作され、そのうちの左右キーのいずれかが押下されたか否かを判定する。ステップＳ３において十字キーのうちの左右キーのいずれかが押下されたと判定された場合（すなわち、十字キーのうちの右キーまたは左キーが押下された場合）、制御部４１はステップＳ４で、押下された十字キーのうちの左右キーのいずれかに従い、サブディスプレイ１９の入力数字キー表示領域に表示されているカーソルを移動する。
【００３７】
例えば図５（Ａ）の場合、ユーザにより十字キーのうちの右キーが押下されると、図５（Ｂ）に示されるように、サブディスプレイ１９の入力数字キー表示領域に表示されているカーソルが現在の「１」の位置から「２」に移動する。
【００３８】
一方、ステップＳ３において十字キーのうちの左右キーのいずれかも押下されていないと判定された場合、ステップＳ４の処理はスキップされ、サブディスプレイ１９の入力数字キー表示領域に現在表示されているカーソルは移動しない。
【００３９】
ステップＳ５において、制御部４１は、ユーザにより第２の操作キー２０のうちの決定キーが押下されたか否かを判定する。ステップＳ５においてユーザにより第２の操作キー２０のうちの決定キーが押下されていないと判定された場合、処理はステップＳ３に戻り、ステップＳ３以降の処理が繰り返し実行される。これにより、図５（Ｂ）の場合、ユーザによりさらに十字キーのうちの右キーが押下されると、サブディスプレイ１９の入力数字キー表示領域に表示されているカーソルが現在の「２」の位置から「３」に移動する。
【００４０】
ステップＳ５においてユーザにより第２の操作キー２０のうちの決定キーが押下されたと判定された場合、制御部４１はステップＳ６で、ユーザによる第２の操作キー２０のうちの決定キーの押下に従い、現在決定操作によって選択される対象となっている入力数字キーの入力を受け付け、受け付けられた入力数字キーの入力を決定する。例えば図５（Ａ）の場合に、ユーザにより第２の操作キー２０のうちの決定キーが押下されると、現在決定操作によって選択される対象となっている入力数字キー「１」の入力が受け付けられ、この入力数字キー「１」の入力が決定される。
【００４１】
なお、ユーザにより第２の操作キー２０のうちの十字キーが操作されて、現在決定操作によって選択される対象となっている入力数字キーが「←Clear」になされた後、ユーザにより第２の操作キー２０のうちの決定キーが押下されると、直前に入力が決定された入力数字キーに基づく決定数字（決定数字表示領域に表示されている決定数字）が削除（クリア）される。これにより、誤って決定された決定数字を削除し、再度新たな入力数字キーを入力して決定数字として決定することができる。
【００４２】
ステップＳ７において、制御部４１は、サブディスプレイ１９を制御し、ステップＳ６の処理により入力が決定された入力数字キーに基づく決定数字を、サブディスプレイ１９の決定数字表示領域に表示させる。サブディスプレイ１９は、制御部４１の制御に従い、ステップＳ６の処理により入力が決定された入力数字キーに基づく決定数字を、サブディスプレイ１９の決定数字表示領域に表示する。
【００４３】
例えば図５（Ａ）の場合に、ユーザにより第２の操作キー２０のうちの決定キーが押下されると、図６（Ａ）に示されるように、入力が決定された入力数字キーに基づく決定数字「１」が、サブディスプレイ１９の決定数字表示領域に表示される。
【００４４】
ステップＳ８において、制御部４１は、ユーザにより第２の操作キー２０が操作されることで、第２の操作キー２０のうちの発呼キーが押下されたか否かを判定する。ステップＳ８において第２の操作キー２０のうちの発呼キーが押下されていないと判定された場合、処理はステップＳ３に戻り、ステップＳ３以降の処理が繰り返し実行される。
【００４５】
これにより、例えばユーザにより第２の操作キー２０が操作されることで、「０」、「９」、「０」、「３」、「１」、「５」、「７」、「９」、「２」、「３」、および「５」の入力数字キーの入力が受け付けられて決定されると、図６（Ｂ）に示されるように、サブディスプレイ１９の決定数字表示領域に「０９０３１５７９２３５」の決定数字が表示される。
【００４６】
一方、ステップＳ８において第２の操作キー２０のうちの発呼キーが押下されたと判定された場合、制御部４１はステップＳ９で、アンテナ３１ア、アンテナ共用器３２、および送信回路３５などを介して、ユーザによりすでに入力された入力数字キーに対応する電話番号により識別される他の携帯電話機１への発呼処理を行う。例えば図６（Ｂ）の場合、入力された「０９０３１５７９２３５」に対応する電話番号により識別される他の携帯電話機１への発呼処理が実行される。
【００４７】
本発明の実施形態においては、携帯電話機１には第１の筐体１２と、第１の筐体１２とヒンジ部１１を介してヒンジ結合される第２の筐体１３が設けられ、第１の筐体１２と第２の筐体１３とが閉じた状態で複数の入力数字キーを第１の表示領域（入力数字キー表示領域）に表示し、第１の表示領域に表示された複数の入力数字キーの中からいずれかの入力数字キーの入力を受け付け、受け付けられた入力数字キーの入力を決定し、入力が決定された入力数字キーに基づく決定数字の組み合わせにより識別される他の携帯電話機１に発呼することができる。
【００４８】
これにより、発呼・通話時に少なくとも一度携帯電話機の開閉を行う必要がなくなり、データ端末としての折り畳み式の携帯電話機１を閉じた状態にした場合であっても、第２の操作キー２０を用いて発呼・着呼処理を簡便に行うことができる。従って、データ端末としての折り畳み式の携帯電話機１を用いた発呼・着呼（通話）処理を行う際の利便性を向上させることができる。
【００４９】
なお、図４のフローチャートを用いて説明した発呼処理では、図５および図６に示されるようなダイヤル表示形式を有するサブディスプレイ１９の表示画面を用いるようにしたが、このような場合に限られず、サブディスプレイ１９の表示面積に応じて例えば図７（Ａ）に示されるように、サブディスプレイ１９の入力数字キー表示領域に入力数字キーを表示する際のダイヤル表示形式を、１段表示形式ではなく２段表示形式にしてもよい。また、例えば図７（Ｂ）に示されるように、サブディスプレイ１９の入力数字キー表示領域に入力数字キーを表示する際のダイヤル表示形式を、３段以上の段表示形式にするようにしてもよい。このようなダイヤル表示形式は、ユーザの好みに応じて適宜変更するようにしてもよい。なお、図８は、図５のフローチャートに示される発呼処理時の、ユーザによる第２の操作キー２０とその操作に対応する動作の対応関係例を示している。
【００５０】
さらに、図９に示されるように、サブディスプレイ１９の入力数字キー表示領域に表示される入力数字キーをいくつかの数字ごとに分割するようにして、ユーザによる第２の操作キー２０のうちの十字キーの上下キーの操作に応じて、入力数字キー表示領域に表示される入力数字キーを遷移させるようにしてもよい。これにより、第２の操作キー２０を用いた発呼処理にて電話番号を入力する際のユーザの手間を削減するとともに、サブディスプレイ１９の表示面積が小さい場合であっても電話番号を入力することが可能となる。
【００５１】
また、図１０に示されるように、第２の筐体１３に設けられる第２の操作キー２０のうちの十字キーに存在する上下左右キーに、「１２３」、「４５６」、「７８９」、「０」などの入力数字を割り当てておき、ユーザにより押下された十字キーのうちのいずれかのキー（上下左右のいずれかのキー）に従い、入力数字キー表示領域のカーソルを移動させて、入力数字キーを入力して決定するようにしてもよい。例えば「０８０−１２３４−５６７８」を入力する場合、下→決定キー→右２回→決定キー→下→決定キー（０８０）→左→決定キー→左２回→決定キー→左３回→決定キー→上→決定キー（１２３４）→上２回→決定キー→上３回→右→決定キー→右２回→決定キー（５６７８）により入力される。
【００５２】
なお、本発明の実施形態においては、携帯電話機１の状態が閉じた状態である場合、第２の操作キー２０のうちの発呼キーを押下することにより、発呼処理を行うようにしたが、このような場合に限られず、例えば第２の操作キー２０のうちの決定キーを長押しすることで発呼処理を行うようにしてもよい。これにより、第２の筐体１３に設ける操作キーの数を削減することができる。
【００５３】
ところで、セキュリティの観点などから設けられている指紋センサ（半導体式や光学式などの半導体センサ）を用いて、予めユーザの特定の指にカーソルの移動方向を割り当てて設定しておき、指紋センサにて検知された指の種類とそのタップ回数に基づいて、入力数字キー表示領域に表示されるカーソルを移動するようにし、電話番号を入力するようにしてもよい。このとき、例えば図１１に示されるように、例えば第１の筐体１２の側面に、ユーザの指を認証するための指紋センサ４９が設けられる。また、例えば１．ユーザの右親指に割り当てられたカーソルの移動方向が「右」方向で、２．ユーザの左人差し指に割り当てられたカーソルの移動方向が「左」方向であると予め設定する。勿論、これ以外の指に「左右」の方向を割り当てるようにしてもよい。さらに、例えば図７（Ｃ）に示されるダイヤル表示形式を用いる。
【００５４】
具体的には、この指紋センサ４９を用いて入力数字キーを入力して決定する場合、例えば「０８０−１２３４−５６７８」を入力するとき、現在のカーソル位置が「＊」にあると、１．右親指×１回（０）、２．左人差し指×３回（８）、１．右親指×３回（０）、１．右親指×２回（１）、１．右親指×１回（２）、１．右親指×１回（３）、１．右親指×１回（４）、１．右親指×１回（５）、１．右親指×１回（６）、１．右親指×１回（７）、１．右親指×１回（８）により入力される。なお、上述した指紋センサ４９を用いた入力数字キーの入力の場合、決定キーによる決定操作は説明を簡略化するために省略する。
【００５５】
なお、図５のフローチャートを用いて説明した発呼処理においては、データ端末としての折り畳み式の携帯電話機１を閉じた状態、第２の操作キー２０を用いて発呼・通話処理を行うようにしたが、一旦、携帯電話機１の状態を開いた状態にして第１の筐体に設けられた第１の操作キー１４を用いて電話番号を入力した後、または、その入力の途中で、携帯電話機１の状態を閉じた状態にし、第２の筐体１３に設けられた第２の操作キー２０を用いて発呼処理を行うようにしてもよい。これにより、例えば電話帳を見ながら相手先の電話番号を入力する場合などに、一旦、第１の操作キー１４を用いて電話番号を最後または途中まで入力した後、電話をかけやすい閉じた状態にして発呼処理を開始させることができる。以下、この方法を用いた発呼処理について説明する。
【００５６】
図１２のフローチャートを参照して、図３の携帯電話機１における他の発呼処理について説明する。なお、図１２のステップＳ１８乃至Ｓ２２の処理は、図４のステップＳ３乃至Ｓ７の処理と基本的には同様であり、その説明は繰り返しになるので省略する。
【００５７】
ステップＳ１１において、制御部４１は、第１の操作キー１４の操作を監視することで、携帯電話機１の状態が開いた状態で、ユーザにより第１の筐体１２の所定の位置に設けられた第１の操作キー１４のうちのいずれかの数字キーが押下されたか否かを判定し、携帯電話機１の状態が開いた状態で、ユーザにより第１の操作キー１４のうちのいずれかの数字キーが押下されたと判定するまで待機する。
【００５８】
ステップＳ１１において携帯電話機１の状態が開いた状態で、ユーザにより第１の操作キー１４のうちのいずれかの数字キーが押下されたと判定された場合、制御部４１はステップＳ１２で、押下された数字キーの入力を受け付ける。ステップＳ１３において、制御部４１は、メインディスプレイ１５を制御し、入力が受け付けられた数字キーをメインディスプレイ１５に表示させる。メインディスプレイ１５は、制御部４１の制御に従い、入力が受け付けられた数字キーを表示する。
【００５９】
ステップＳ１４において、制御部４１は、磁気センサ１７ａおよび１７ｂを用いて、携帯電話機１の状態が閉じた状態になったか否かを判定する。ステップＳ１４において携帯電話機１の状態が閉じた状態になっていないと判定された場合、処理はステップＳ１１に戻り、ステップＳ１１以降の処理が繰り返し実行される。これにより、ユーザにより第１の操作キー１４が操作されることで、例えば「０９０３１５７９２３５」などの電話番号が入力される。
【００６０】
ステップＳ１４において携帯電話機１の状態が閉じた状態になったと判定された場合、制御部４１はステップＳ１５で、サブディスプレイ１９を制御し、入力がすでに受け付けられた数字キー（例えば「０９０３１５７９２３５」など）をサブディスプレイ１９の決定数字表示領域に表示させるとともに、サブディスプレイ１９の入力数字キー表示領域に、複数の入力数字キーを表示させる。
【００６１】
ステップＳ１６において、制御部４１は、ユーザにより第２の操作キー２０が操作されることで、第２の操作キー２０のうちの発呼キーが押下されたか否かを判定する。ステップＳ１６において第２の操作キー２０のうちの発呼キーが押下されたと判定された場合、処理はステップＳ１７に進み、ステップＳ１７において発呼処理が実行される。これにより、第１の操作キー１４を用いて電話番号を最後まで入力した後、電話をかけやすい閉じた状態にして発呼処理を開始させることができる。
【００６２】
一方、ステップＳ１６において第２の操作キー２０のうちの発呼キーが押下されていないと判定された場合、処理はステップＳ１８に進み、ステップＳ１８以降の処理が実行される。これにより、例えば第１の操作キー１４を用いて電話番号を最後まで入力したが、ユーザがサブディスプレイ１９の決定数字表示領域に表示される数字キーを訂正したいような場合には、「←Clear」にカーソルが移動された後、削除処理が実行されるとともに、新たな入力数字キーが入力されて決定される。そして、ステップＳ１７にて発呼処理が実行される。また、例えば第１の操作キー１４を用いて電話番号を途中までしか入力していない場合についても同様である。
【００６３】
これにより、発呼・通話時に少なくとも一度は携帯電話機の開閉を行う必要はあるが、データ端末としての折り畳み式の携帯電話機１を閉じた状態にした場合にて、第２の操作キー２０を用いて発呼・通話処理を継続して行うことができる。従って、データ端末としての折り畳み式の携帯電話機１を用いた発呼・通話処理を行う際の利便性を向上させることができる。
【００６４】
なお、図１３のフローチャートに示されるように、ステップＳ３４にて携帯電話機１の状態が閉じた状態になったと判定された場合に、これを発呼処理のトリガとして、直ちに入力された電話番号への発呼処理をステップＳ３６で実行するようにしてもよい。これにより、データ端末としての折り畳み式の携帯電話機１を用いた発呼・通話処理を行う際の利便性をより向上させることができる。
【００６５】
ところで、携帯電話機１の状態が閉じた状態のときに他の携帯電話機１から着信があれば、ユーザは直ちにその状態で通話することが可能となるが、携帯電話機１の状態が開いた状態であるときには、一旦携帯電話機１を閉じる必要がある。そこで、例えば図１４のフローチャートに示されるように、ステップＳ４１にて制御部４１がアンテナ３１や受信回路３３などを介して他の携帯電話機１からの着呼に対する着呼応答動作があったと判定した場合（すなわち、他の携帯電話機１からの着呼時に、ユーザによる通話ボタンなどの押下があった場合）、制御部４１はステップＳ４２で、磁気センサ１７ａおよび１７ｂを用いて、携帯電話機１の状態が閉じた状態であるか否かを判定する。ステップＳ４２において携帯電話機１の状態が閉じた状態であると判定された場合、ステップＳ４３にて制御部４１は、アンテナ３１、受信回路３３、および送信回路３４などを介して通常の通話処理を実行する一方、ステップＳ４２において携帯電話機１の状態が閉じた状態であると判定された場合、制御部４１はステップＳ４４で、アンテナ３１、受信回路３３、および送信回路３４などを介して、図示せぬスピーカを用いてハンズフリーによる通話処理を実行する。
【００６６】
これにより、データ端末としての折り畳み式の携帯電話機１を用いた通話処理を行う際の利便性をより向上させることができる。
【００６７】
なお、勿論、本明細書に記載した各処理は適宜組み合わせるようにしてもよい。
【００６８】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【００６９】
また、本発明の実施形態において説明した一連の処理は、ソフトウェアにより実行させることもできるが、ハードウェアにより実行させることもできる。
【００７０】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００７１】
【図１】本発明に係る情報処理装置に適用可能な携帯電話機の外観の構成を示す図。
【図２】本発明に係る情報処理装置に適用可能な携帯電話機の他の外観の構成を示す図。
【図３】本発明に係る情報処理装置に適用可能な携帯電話機の内部の構成を示すブロック図。
【図４】図３の携帯電話機における発呼処理を説明するためのフローチャート。
【図５】図３のサブディスプレイに表示される表示例を示す図。
【図６】図３のサブディスプレイに表示される表示例を示す図。
【図７】図３のサブディスプレイの入力数字キー表示領域に表示される入力数字キーのダイヤル表示形式の例を示す図。
【図８】発呼処理時の、ユーザによる第２の操作キーとその操作に対応する動作の対応関係例を示す図。
【図９】図３のサブディスプレイの入力数字キー表示領域に表示される入力数字キーのダイヤル表示形式の例を示す図。
【図１０】図３の第２の操作キーの十字キーに割り当てられた入力数字を説明するための図。
【図１１】本発明に係る情報処理装置に適用可能な携帯電話機の他の外観の構成を示す図。
【図１２】図３の携帯電話機における他の発呼処理を説明するためのフローチャート。
【図１３】図３の携帯電話機における他の発呼処理を説明するためのフローチャート。
【図１４】図３の携帯電話機における通話処理を説明するためのフローチャート。
【符号の説明】
【００７２】
１…携帯電話機、１１…ヒンジ部、１２…第１の筐体、１３…第２の筐体、１４…第１の操作キー、１５…メインディスプレイ、１６…マイクロフォン、１７（１７ａおよび１７ｂ）…磁気センサ、１８…レシーバ（受話器）、１９…サブディスプイ例、２０…第２の操作キー、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…時計回路、４８…ＣＣＤカメラ、４９…指紋センサ。
【図１】
0004863969.tif 000002
【図２】
0004863969.tif 000003
【図３】
0004863969.tif 000004
【図４】
0004863969.tif 000005
【図５】
0004863969.tif 000006
【図６】
0004863969.tif 000007
【図７】
0004863969.tif 000008
【図８】
0004863969.tif 000009
【図９】
0004863969.tif 000010
【図１０】
0004863969.tif 000011
【図１１】
0004863969.tif 000012
【図１２】
0004863969.tif 000013
【図１３】
0004863969.tif 000014
【図１４】
0004863969.tif 000015